(57)【要約】【課題】携帯電話機の外部接続端子に外部着脱式記憶装置を接続するのみで、当該外部着脱式記憶装置に記憶されている映像・音声データを自動再生することができる携帯電話機用映像・音声再生装置を提供する。【解決手段】外部着脱式記憶装置１１を携帯電話機２０の外部接続端子２０Ａに接続すると、コンテンツ自動再生プログラムＰが外部着脱式記憶装置１１の記憶部１１Ｂから携帯電話機２０のアプリケーションプログラム格納エリア２０Ｂに転送され、携帯電話機２０内で自動的に起動する。コンテンツ自動再生プログラムＰは、外部着脱式記憶装置１１に記憶されている映像・音声データＤ１を判別し、これを携帯電話機２０のコンテンツ記憶エリア２０Ｃに読み込み、携帯電話機２０に備わっている再生機能を作動させて映像・音声データＤ１の再生処理を開始させる。【選択図】図１
2008028667.tif 000002
【特許請求の範囲】
【請求項１】
携帯電話機の外部接続端子に接続される外部着脱式記憶装置を備え、当該外部着脱式記憶装置に、当該携帯電話機で再生可能な映像・音声データと、当該映像・音声データを当該携帯電話機で自動再生させるコンテンツ自動再生プログラムとを記憶させたことを特徴とする携帯電話機用映像・音声再生装置。
【請求項２】
前記外部着脱式記憶装置に、携帯電話機と接続されたことを検知して前記コンテンツ自動再生プログラムを当該携帯電話機内のアプリケーションプログラム格納エリアに転送する機能を持たせるとともに、当該コンテンツ自動再生プログラムが当該携帯電話機内で自動的に起動するように構成したことを特徴とする請求項１記載の携帯電話機用映像・音声再生装置。
【請求項３】
任意の映像・音声データを前記携帯電話機で再生可能な映像・音声データに変換し、前記コンテンツ自動再生プログラムと共に前記外部着脱式記憶装置に記憶させる書込装置を備えたことを特徴とする請求項１または２記載の携帯電話機用映像・音声再生装置。
【請求項４】
前記外部着脱式記憶装置は、バッテリを内蔵しており、当該バッテリに蓄えられている電力の一部を前記携帯電話機に供給することを特徴とする請求項１〜３のいずれかに記載の携帯電話機用映像・音声再生装置。
【発明の詳細な説明】
【技術分野】
【０００１】
本発明は、携帯電話機の外部接続端子に外部着脱式記憶装置を接続することにより、当該外部着脱式記憶装置に記憶させた映像・音声データを当該携帯電話機で再生する映像・音声再生技術の分野に属する。
【背景技術】
【０００２】
携帯電話機の機能が高度化し、本体内に装着したメモリーカード（ＳＤカード（登録商標）、メモリースティック（登録商標）、等）にデータを記録し再生できる携帯電話機が普及している。
【０００３】
しかし、従来のこの種の携帯電話機では、メモリーカードに記憶されている映像や音楽などを再生する際、携帯電話機のボタンを操作してメニュー画面を呼び出し、そのメニュー画面からデータ種別選択画面に進み、そのデータ種別選択画面上でメモリーカードへのアクセスを選択し、フォルダ一覧から目的のコンテンツフォルダを選択して再生指示操作を行う、といった複数回に亘る煩雑なボタン操作を行う必要がある。
【０００４】
【特許文献１】特開２００２−９９６６号公報
【特許文献２】特開２００２−２８１１４０号公報
【発明の開示】
【発明が解決しようとする課題】
【０００５】
本発明が解決しようとする課題は、携帯電話機の外部接続端子に外部着脱式記憶装置を接続するのみで、当該外部着脱式記憶装置に記憶されている映像・音声データを自動再生することができる携帯電話機用映像・音声再生装置を提供することにある。
【課題を解決するための手段】
【０００６】
上記課題を解決するために、本発明の携帯電話機用映像・音声再生装置は、携帯電話機の外部接続端子に接続される外部着脱式記憶装置を備え、当該外部着脱式記憶装置に、当該携帯電話機で再生可能な映像・音声データと、当該映像・音声データを当該携帯電話機で自動再生させるコンテンツ自動再生プログラムとを記憶させたものである。
【０００７】
上記のように構成された携帯電話機用映像・音声再生装置では、外部着脱式記憶装置を携帯電話機の外部接続端子に接続すると、外部着脱式記憶装置に記憶されているコンテンツ自動再生プログラムが起動し、外部着脱式記憶装置に記憶されている映像・音声データが携帯電話機で自動再生される。
【０００８】
本発明の携帯電話機用映像・音声再生装置は、前記外部着脱式記憶装置に、携帯電話機と接続されたことを検知して前記コンテンツ自動再生プログラムを当該携帯電話機内のアプリケーションプログラム格納エリアに転送する機能を持たせるとともに、当該コンテンツ自動再生プログラムが当該携帯電話機内で自動的に起動するように構成されていることが望ましい。
【０００９】
上記のように構成された携帯電話機用映像・音声再生装置では、外部着脱式記憶装置を携帯電話機の外部接続端子に接続すると、コンテンツ自動再生プログラムが携帯電話機内のアプリケーションプログラム格納エリアに転送され、携帯電話機内で自動的に起動することにより、外部着脱式記憶装置に記憶されている映像・音声データが携帯電話機で自動再生される。
【００１０】
本発明の携帯電話機用映像・音声再生装置は、任意の映像・音声データを前記携帯電話機で再生可能な映像・音声データに変換し、前記コンテンツ自動再生プログラムと共に前記外部着脱式記憶装置に記憶させる書込装置を備えていることが望ましい。
【００１１】
上記のように構成された携帯電話機用映像・音声再生装置によれば、書込装置を使用することにより、任意の映像・音声データを携帯電話機で再生可能な映像・音声データに変換し、コンテンツ自動再生プログラムと共に外部着脱式記憶装置に記憶させることができるので、任意の映像・音声データを携帯電話機で自動再生できるようにすることが可能になる。
【００１２】
本発明の携帯電話機用映像・音声再生装置において、前記外部着脱式記憶装置は、バッテリを内蔵しており、当該バッテリに蓄えられている電力の一部を前記携帯電話機に供給する機能を備えていることが望ましい。
【００１３】
上記のように構成された携帯電話機用映像・音声再生装置によれば、映像・音声データを自動再生している携帯電話機のバッテリの電力消耗が抑えられる。
【発明の効果】
【００１４】
本発明の携帯電話機用映像・音声再生装置によれば、携帯電話機の外部接続端子に外部着脱式記憶装置を接続するのみで、当該外部着脱式記憶装置に記憶されている映像・音声データを自動再生することができるので、外部着脱式記憶装置に記憶されている映像や音楽などを携帯電話機で再生するために煩雑なボタン操作を行う必要がない。
【発明を実施するための最良の形態】
【００１５】
次に、本発明の実施形態について説明する。
【００１６】
図１は本発明の携帯電話機用映像・音声再生装置の構成例を示すブロック図である。
【００１７】
図１に例示する携帯電話機用映像・音声再生装置１０は、携帯電話機２０に着脱可能に装着される外部着脱式記憶装置１１と、外部着脱式記憶装置１１に情報を書き込む書込装置１２とを備えている。図１（ａ）は外部着脱式記憶装置１１が携帯電話機２０の外部接続端子２０Ａに接続されている状態を示している。図１（ｂ）は外部着脱式記憶装置１１が書込装置１２の媒体接続端子１２Ａに接続されている状態を示している。
【００１８】
外部着脱式記憶装置１１は、携帯電話機２０の外部接続端子２０Ａ及び書込装置１２の媒体接続端子１２Ａに接続されるコネクタ部１１Ａと、不揮発性ＲＡＭからなる記憶部１１Ｂと、記憶部１１Ｂへのデータの書込み／読出し並びに携帯電話機２０等との通信を含む各種制御を行う制御部１１Ｃと、バッテリ１１Ｄとを備えた記憶媒体である。制御部１１Ｃは、外部着脱式記憶装置１１が携帯電話機２０と接続されたことを検知すると、記憶部１１Ｂに記憶されているコンテンツ自動再生プログラムＰを携帯電話機２０内のアプリケーションプログラム格納エリア２０Ｂに転送する機能を有している。また、バッテリ１１Ｄの電力は、外部着脱式記憶装置１１内の記憶部１１Ｂ及び制御部１１Ｃに供給されるとともに、コネクタ部１１Ａを介して携帯電話機２０にも供給されるようになっている。
【００１９】
書込装置１２は、外部着脱式記憶装置１１のコネクタ部１１Ａが接続される媒体接続端子１２Ａと、外部のＡＶ機器（ＤＶＤ再生装置、ＣＤ再生装置、ビデオ録画・再生装置、ビデオカメラ、テレビ受像器、等）から任意の映像・音声データを取り込むＡＶ信号入力部１２Ｂと、ＡＶ信号入力部１２Ｂから取り込んだ任意の映像・音声データＤ０を携帯電話機２０で再生可能な圧縮形式（フォーマット様式）の映像・音声データＤ１に変換し、その映像・音声データＤ１を外部着脱式記憶装置１１に転送するとともにその映像・音声データＤ１を携帯電話機２０で自動再生させるコンテンツ自動再生プログラムＰを外部着脱式記憶装置１１に転送する制御部１２Ｃとを備えている。書込装置１２から外部着脱式記憶装置１１に転送された映像・音声データＤ１及びコンテンツ自動再生プログラムＰは、外部着脱式記憶装置１１の制御部１１Ｃを介して記憶部１１Ｂに記憶されるようになっている。
【００２０】
上記のように構成された携帯電話機用映像・音声再生装置１０では、書込装置１２を使用することにより、外部のＡＶ機器からの任意の映像・音声データＤ０を携帯電話機２０で再生可能な圧縮形式の映像・音声データＤ１に変換し、コンテンツ自動再生プログラムＰと共に外部着脱式記憶装置１１に記憶させることができる。外部着脱式記憶装置１１を携帯電話機２０の外部接続端子２０Ａに接続すると、コンテンツ自動再生プログラムＰが外部着脱式記憶装置１１の記憶部１１Ｂから携帯電話機２０のアプリケーションプログラム格納エリア２０Ｂに転送され、携帯電話機２０内で自動的に起動する。コンテンツ自動再生プログラムＰは、外部着脱式記憶装置１１に記憶されている映像・音声データＤ１を判別し、これを携帯電話機２０のコンテンツ記憶エリア２０Ｃに読み込み、携帯電話機２０に備わっている再生機能を作動させて映像・音声データＤ１の再生処理を開始させる。
【００２１】
このように、この実施形態の携帯電話機用映像・音声再生装置１０によれば、携帯電話機２０の外部接続端子２０Ａに外部着脱式記憶装置１１を接続するのみで、外部着脱式記憶装置１１に記憶されている映像・音声データＤ１を自動再生することができるので、外部着脱式記憶装置１１に記憶されている映像や音楽などを携帯電話機２０で再生するために従来のような煩雑なボタン操作を行う必要がない。
【００２２】
また、外部着脱式記憶装置１１に記憶されている映像・音声データＤ１の自動再生中に、外部着脱式記憶装置１１のバッテリ１１Ｄの電力の一部が携帯電話機２０に供給されるので、携帯電話機２０のバッテリ２０Ｄの電力の消耗を抑えることができる。
【００２３】
なお、上記の実施形態では、書込装置１２が外部のＡＶ機器から取り込んだ任意の映像・音声データＤ０を携帯電話機２０で再生可能な圧縮形式の映像・音声データＤ１に変換する構成としたが、ＤＶＤ再生装置やビデオ録画・再生装置などのＡＶ機器の機能を書込装置１２自体に持たせてもよい。
【００２４】
また、携帯電話機の新機種の出現などに迅速に対応できるように、コンテンツ自動再生プログラムＰをインターネット等を介して常に最新のバージョンに更新する機能を書込装置１２に持たせておくことが望ましい。
【００２５】
また、コンテンツ自動再生プログラムＰ自体に、携帯電話機のネットワーク機能や赤外線通信機能などを利用して、その状態の最適化のための種々の情報を取り込む機能を持たせてもよい。この種の機能を実現する方法として、映像・音声データＤ１に含まれる文字やシンクロ情報信号などを手がかりにして最適化を行う方法を挙げることができる。
【００２６】
また、映像・音声データＤ１に広告又は販売促進用の情報を含ませておけば、ユーザへの広告又は販売促進機能を映像・音声データＤ１に持たせることができる。
【００２７】
また、書込装置１２は、映像・音声データＤ１に著作権保護のための情報を含ませる機能を備えていることが望ましい。
【図面の簡単な説明】
【００２８】
【図１】本発明の携帯電話機用映像・音声再生装置の構成例を示すブロック図であり、（ａ）は外部着脱式記憶装置が携帯電話機の外部接続端子に接続されている状態を、（ｂ）は外部着脱式記憶装置が書込装置の媒体接続端子に接続されている状態をそれぞれ示している。
【符号の説明】
【００２９】
１０  携帯電話機用映像・音声再生装置
１１  外部着脱式記憶装置
１１Ａ  コネクタ部
１１Ｂ  記憶部
１１Ｃ  制御部
１１Ｄ  バッテリ
１２  書込装置
１２Ａ  媒体接続端子
１２Ｂ  ＡＶ信号入力部
１２Ｃ  制御部
２０  携帯電話機
２０Ａ  外部接続端子
２０Ｂ  アプリケーションプログラム格納エリア
２０Ｃ  コンテンツ記憶エリア
２０Ｄ  バッテリ
Ｄ０  映像・音声データ
Ｄ１  映像・音声データ
Ｐ  コンテンツ自動再生プログラム
【図１】
2008028667.tif 000003